(57)【要約】
【課題】蓄熱暖房器において、内部ケーシングからの熱を安定して外装板に伝導することができるようにし、スライドダンパーの開放作動に伴って、蓄熱体側に安定して空気を移動させることができるようにし、組立の施工性を良くするとともに、操作ハンドルに無駄な熱を伝えて熱くしてしまうことがないようにする。
【解決手段】  蓄熱暖房器は、内部に断熱材３，５，６を介して蓄熱体４と該蓄熱体４を加熱するヒータ９とを収納する内部ケーシング１１と、内部ケーシング１１から間隔を置いて内部ケーシング１１の外表面を覆う外装板１２と、内部ケーシング１１内の温熱空気を外部から開閉操作可能なスライドダンパー１６及び吹き出し口１５を介して外装板１２の外部へ導く風路１４と、内部ケーシング１１と外装板１２との間の空間部に配設された帯状の伝熱板とを備え、スライドダンパー１６が、本体カバー２１の外装板の外側に配設された操作ハンドル１８に連結された駆動駒２０に係合する係合凹部１６ａを有し、操作ハンドル１８の操作によりスライドして吹き出し口１５に通じる風路１４を開閉する。
【選択図】図２
0003101345.tif 000002
【実用新案登録請求の範囲】
【請求項１】
内部に断熱材を介して蓄熱体と該蓄熱体を加熱するヒータとを収納する内部ケーシングと、該内部ケーシングの少なくとも側部外表面から設定された間隔を置いて該内部ケーシングの外表面を覆う外装板と、前記内部ケーシング内の断熱材に穿設され、前記内部ケーシング内の温熱空気を外部から開閉操作可能なスライドダンパー及び吹き出し口を介して前記外装板の外部へ導く風路とを備え、前記内部ケーシングと前記外装板との間の空間部には、前記内部ケーシングと前記外装板との間の空間内を上昇する温熱空気の移動を制限するとともに前記内部ケーシングから前記外装板への熱の伝達を促進して前記外装板における温度分布のむらを防止する帯状の伝熱板が配設されていることを特徴とする、蓄熱暖房器。
【請求項２】
請求項１に記載の蓄熱暖房器において、前記帯状の伝熱板は複数枚の伝熱板よりなり、各伝熱板の一方の側縁が前記内部ケーシングから熱を受け取り、他方の側縁が前記外装板へ熱を伝達するようにして、それぞれ相互に上下方向に間隔を置いて水平方向に延設されていることを特徴とする、蓄熱暖房器。
【請求項３】
請求項２に記載の蓄熱暖房器において、各帯状の伝熱板の上縁が前記内部ケーシングから熱を受け取り、下縁が前記外装板に熱を伝達するようにして、それぞれ相互に上下方向に間隔を置いて水平方向に延設されていることを特徴とする、蓄熱暖房器。
【請求項４】
内部に断熱材を介して蓄熱体と該蓄熱体を加熱するヒータとを収納する内部ケーシングと、該内部ケーシングの少なくとも側部外表面から設定された間隔を置いて該内部ケーシングの外表面を覆う外装板と、前記内部ケーシング内の断熱材に穿設され、前記内部ケーシング内の温熱空気を外部から開閉操作可能なスライドダンパー及び吹き出し口を介して前記外装板の外部へ導く風路と、前記内部ケーシングと前記外装板との間の空間部に配設され、前記内部ケーシングと前記外装板との間の空間内を上昇する温熱空気の移動を制限するとともに前記内部ケーシングから前記外装板への熱の伝達を促進して前記外装板における温度分布のむらを防止する帯状の伝熱板とを備え、前記スライドダンパーが、本体カバーの外装板の外側に配設された操作ハンドルに連結された駆動駒に係合する係合凹部を有し、前記操作ハンドルの操作によりスライドして前記吹き出し口に通じる前記風路を開閉するように構成されていることを特徴とする、蓄熱暖房器。
【請求項５】
請求項４に記載の蓄熱暖房器において、前記駆動駒は、前記操作ハンドルのハンドル軸に連結されていて、前記操作ハンドルの回転に伴って回転して前記スライドダンパーの係合凹部を前記スライドダンパーのスライド方向に押圧するように構成されていることを特徴とする、蓄熱暖房器。
【考案の詳細な説明】
【技術分野】
【０００１】
本考案は、蓄熱暖房器に関する。
【背景技術】
【０００２】
従来より、内部に断熱材を介して蓄熱体と蓄熱体を加熱するヒータとを収納する内部ケーシングと、内部ケーシングの側部外表面から設定された間隔を置いて内部ケーシングの外表面を覆う外装板と、内部ケーシング内の断熱材に穿設され、内部ケーシング内の温熱空気を外部から開閉操作可能なスライドダンパー及び吹き出し口を介して外装板の外部へ導く風路とを備えた蓄熱暖房器が知られている。
【０００３】
ところで、上記従来の蓄熱暖房器においては、内部ケーシングと外装板との間の空気層が、熱を上側に運ぶことによって、外装板の表面温度が低くなってしまい、外装板の上部が偏って熱くなってしまう、という不都合があった。また、スライドダンパーの開放作動によって、吹き出し口を介して温熱空気を外装板の外部へ導く風路が開放されても、内部ケーシング内の蓄熱体側に安定的に空気を移動させることができない、という不都合があった。
【考案の開示】
【考案が解決しようとする課題】
【０００４】
そこで本考案は、内部ケーシングから放熱される熱を安定して外装板に伝導することができるようにし、外装板が局部的に偏って熱くなってしまうことがないようにし、また、スライドダンパーの開放作動によって、風路が開放されたときには、内部ケーシング内の蓄熱体側に安定して空気を移動させることができるようにした、蓄熱暖房器を提供しようとするものである。
【０００５】
本考案は、また、蓄熱体が重いため取り付け場所における現場施工となる蓄熱暖房器の組立の施工性を良くするとともに、操作ハンドルに無駄な熱を伝えて操作ハンドルを熱くしてしまうことがないようにした、蓄熱暖房器を提供しようとするものである。
【課題を解決するための手段】
【０００６】
本考案の蓄熱暖房器は、内部に断熱材を介して蓄熱体と該蓄熱体を加熱するヒータとを収納する内部ケーシングと、該内部ケーシングの少なくとも側部外表面から設定された間隔を置いて該内部ケーシングの外表面を覆う外装板と、前記内部ケーシング内の断熱材に穿設され、前記内部ケーシング内の温熱空気を外部から開閉操作可能なスライドダンパー及び吹き出し口を介して前記外装板の外部へ導く風路とを備え、前記内部ケーシングと前記外装板との間の空間部には、前記内部ケーシングと前記外装板との間の空間内を上昇する温熱空気の移動を制限するとともに前記内部ケーシングから前記外装板への熱の伝達を促進して前記外装板における温度分布のむらを防止する帯状の伝熱板が配設されている。  
【０００７】
また、本考案の蓄熱暖房器において、前記帯状の伝熱板は複数枚の伝熱板よりなり、各伝熱板の一方の側縁が前記内部ケーシングから熱を受け取り、他方の側縁が前記外装板へ熱を伝達するようにして、それぞれ相互に上下方向に間隔を置いて水平方向に延設されている。
【０００８】
さらに、本考案の蓄熱暖房器において、各帯状の伝熱板の上縁が前記内部ケーシングから熱を受け取り、下縁が前記外装板に熱を伝達するようにして、それぞれ相互に上下方向に間隔を置いて水平方向に延設されている。
【０００９】
また、本考案の蓄熱暖房器は、内部に断熱材を介して蓄熱体と該蓄熱体を加熱するヒータとを収納する内部ケーシングと、該内部ケーシングの少なくとも側部外表面から設定された間隔を置いて該内部ケーシングの外表面を覆う外装板と、前記内部ケーシング内の断熱材に穿設され、前記内部ケーシング内の温熱空気を外部から開閉操作可能なスライドダンパー及び吹き出し口を介して前記外装板の外部へ導く風路と、前記内部ケーシングと前記外装板との間の空間部に配設され、前記内部ケーシングと前記外装板との間の空間内を上昇する温熱空気の移動を制限するとともに前記内部ケーシングから前記外装板への熱の伝達を促進して前記外装板における温度分布のむらを防止する帯状の伝熱板とを備え、前記スライドダンパーが、本体カバーの外装板の外側に配設された操作ハンドルに連結された駆動駒に係合する係合凹部を有し、前記操作ハンドルの操作によりスライドして前記吹き出し口に通じる前記風路を開閉するように構成されている。
【００１０】
さらに、本考案の蓄熱暖房器において、前記駆動駒は、前記操作ハンドルのハンドル軸に連結されていて、前記操作ハンドルの回転に伴って回転して前記スライドダンパーの係合凹部を前記スライドダンパーのスライド方向に押圧するように構成されている。
【考案の効果】
【００１１】
本考案の蓄熱暖房器によれば、以下のような効果が得られる。
【００１２】
内部ケーシング側の熱を安定して外装板に伝導することができ、外装板が局部的に偏って熱くなってしまうということがなく、また、スライドダンパーの開放作動によって、風路が開放されたときには、内部ケーシング内の蓄熱体側に安定して空気を移動させることができる。
【００１３】
また、現場施工となる蓄熱暖房器の組立の施工性を良くすることができ、さらに、操作ハンドルに無駄な熱を伝えて操作ハンドルを熱くしてしまうということがない。
【考案を実施するための最良の形態】
【００１４】
内部ケーシング側の熱を安定して外装板に伝導することができるようにし、外装板が局部的に偏って熱くなってしまうということがないようにし、また、スライドダンパーの風路開放作動によって、風路が開放されたときには、内部ケーシング内の蓄熱体側に安定して空気を移動させることができるようにするという目的を、内部ケーシングと外装板との間の空間部に、内部ケーシングと外装板との間の空間内を上昇する温熱空気の移動を制限するとともに内部ケーシングから外装板への熱の伝達を促進して外装板における温度分布のむらを防止する帯状の伝熱板を配設することによって実現した。
【００１５】
また、現場施工となる蓄熱暖房器の組立の施工性を良くするとともに、操作ハンドルに無駄な熱を伝えて操作ハンドルを熱くしてしまうことがないようにするという目的を、スライドダンパーに、外装板の外側に配設された操作ハンドルに連結された駆動駒に係合する係合凹部を形成し、操作ハンドルの操作により駆動駒を介してスライドダンパーをスライドさせて吹き出し口に通じる風路を開閉するように構成することによって実現した。
【実施例】
【００１６】
以下、図面により本考案の実施例について説明する。図１は本考案の蓄熱暖房器の、図２のＢ−Ｂ線に沿って見た縦断正面図であり、図２は図１の蓄熱暖房器のＣ−Ｃ線に沿って見た縦断側面図であり、図３は図１の蓄熱暖房器のＡ−Ａ線に沿って見た水平断面図である。
【００１７】
図１ないし図３において、本考案の一実施例としての蓄熱暖房器は、平面視概ね矩形状の基台１と、基台１上に立設された水平断面が略矩形状の内部ケーシング１１と、内部ケーシング１１の少なくとも側部外表面、例えば前側部外表面、後側部外表面、左右側部外表面からスペーサを介して設定された間隔を置いて内部ケーシング１１の外表面を覆う外装板１２とを有する。
【００１８】
内部ケーシング１１内において、基台１上にはスペーサ２を介して下部断熱材３が水平方向に敷き詰められている。下部断熱材３は、通常は通気性を有するが、通気性が無い材質か不十分な材質の場合には、蓄熱暖房器の外部から下部断熱材３の下面側の空間内に取り込まれた空気を下部断熱材３の上面側へ通気させるための通気孔が相互に間隔を置いて多数穿設されているとともに、下部断熱材３の前後方向に見て略中央部には、左右方向に適宜のピッチ間隔を置いて周期波状に立設されるヒータ９の電源取り出し部を支持する支持孔が穿設されている。
【００１９】
下部断熱材３の上側において、内部ケーシング１１の前側部内表面に沿い前側部断熱材５が張り詰められているとともに、内部ケーシング１１の後側部内表面に沿い後側部断熱材６が張り詰められており、さらに内部ケーシング１１の右側部内表面に沿い右側部断熱材７が張り詰められているとともに、内部ケーシング１１の左側部内表面に沿い左側部断熱材８が張り詰められている。そして前側部断熱材５とヒータ９との間、及び後側部断熱材６とヒータ９との間には、ブロック状の蓄熱体４がそれぞれ前側部断熱材５及び後側部断熱材６に接するようにして、積層されている。
【００２０】
内部ケーシング１１内の上方部には、上部断熱材１０が配設され、この上部断熱材１０には左右方向に相互に間隔を置いて多数の風路１４が形成されている。各風路１４は、それぞれ上部断熱材１０の下面側の空気を導入する下面側開口を有するとともに、各下面側開口から導入された空気を、外装板１２の前面側に左右方向に相互に間隔を置いて形成された多数の吹出し口１５のうちの対応する吹出し口１５へ送る水平な通風部とを有する。  
【００２１】
上部断熱材１０には、各風路１４の水平な通風部を開閉するスライドダンパー１６を左右方向にスライド自在に支持するスライドダンパー支持溝が形成されている。上部断熱材１０のスライドダンパー支持溝内に支持されたスライドダンパー１６は、多数の風路１４と同数の開口１７を有し、スライドダンパー１６が左右にスライドすることによって各風路１４を閉じたり開いたりすることができる。
【００２２】
スライドダンパー１６は、本体カバー２１の外装板１２の外側に配設された操作ハンドル１８のハンドル軸１９に連結された駆動駒２０に係合する係合凹部１６ａを有する。駆動駒２０は、操作ハンドル１８の回転に伴って回転し、スライドダンパー１６の係合凹部１６ａを左右方向に押圧することによって、スライドダンパー１６を左右方向にスライドさせる。
【００２３】
他方、内部ケーシング１１と外装板１２との間の空間部には、内部ケーシング１１と外装板１２との間の空間内を上昇する温熱空気の移動を制限するとともに、内部ケーシング１１から外装板１２への熱の伝達を促進して外装板１２における温度分布のむらを防止するように、帯状の伝熱板１３が配設されている
【００２４】
帯状の伝熱板１３は複数枚の伝熱板よりなり、各伝熱板１３の一方の側縁が内部ケーシング１１から熱を受け取り、他方の側縁が外装板１２へ熱を伝達するようにして、それぞれ相互に上下方向に間隔を置いて水平方向に延設されている。
【００２５】
特に、各帯状の伝熱板１３の上縁が内部ケーシング１１から熱を受け取り、下縁が外装板１２に熱を伝達するようにして、それぞれ相互に上下方向に間隔を置いて水平方向に延設されていると、内部ケーシング１１と外装板１２との間の空間内を上昇する温熱空気の移動を良好に制限するとともに、内部ケーシング１１から外装板１２への熱の伝導を促進して外装板１２における温度分布のむらを効果的に防止することができる。
【００２６】
図１ないし図３に示した蓄熱暖房器は、ファンを持たない自然放熱タイプの蓄熱暖房器であり、固体の蓄熱体４を電気ヒータ９で加熱し、蓄えた熱を暖房の熱源として用いることができるものである。下部断熱材３、前側部断熱材５、後側部断熱材６、左右側部断熱材７，８，及び上部断熱材１０の各性能を個別にあるいは統一して選択的に設定することにより、単位時間当たりの放熱量を選択的に制限することができる。
【００２７】
図１ないし図３に示した蓄熱暖房器において、スライドダンパー１６を閉じた場合には自然放熱だけとなる。また、スライドダンパー１６を開けた場合には、下部断熱材３の通気部から入った空気が、蓄熱体４の表面に触れながら風路１４及びスライドダンパー１６の各開口１７を通過して吹き出し口１５から出てくるため、蓄熱暖房器の放熱量は多くなる。
【００２８】
各帯状の伝熱板１３を、下方から上方への空気の流れを遮断するように、水平に配設した上、縁部を内部ケーシング１１と外装板１２とに接触させるか、もしくは限りなく近づけるようにすることにより、内部ケーシング１１の内部の熱が、内部ケーシング１１から外装板１２へ伝わり、外装板１２を適度に加熱するとともに、各帯状の伝熱板１３が空気層を確保する。各帯状の伝熱板１３を水平に配設することにより、下から上への空気の流れが無くなるか制限を受けるため、スライドダンパー１６を開けた際に、空気の流れが全体として蓄熱体４側に誘導される。
【００２９】
帯状の伝熱板１３の目的は多目的であるため、その枚数は好ましくは複数枚とするのが良い。その場合、一枚目の帯状の伝熱板１３は、主に上方への空気の流れの遮断を目的とし、二枚目以降の帯状の伝熱板１３は、内部ケーシング１１から外装板１２への熱の移動を主な目的とするものである。そのため、帯状の伝熱板１３の枚数は、外装板１２の高さや表面積によって異なってくる。
【００３０】
上記のように、帯状の伝熱板１３を複数枚配設することにより、スライドダンパー１６の開放操作によって一時的に取り出せる熱量を、機能的に変化させることができ、例えば自然放熱だけでは熱を取り出しにくい、蓄熱体の温度が１００°Ｃくらいの場合でも、有効に熱を取り出すことができるようになる。その結果、蓄えた熱を有効に利用することができる範囲が広がる。さらに、内部ケーシング１１から移動する熱を帯状の伝熱板１３を介して外装板１２へ伝導するため、蓄熱暖房器全体が均一な温度を作り出し、外装板１２上に局部的な高温部所を作ることがない。
【００３１】
他方、スライドダンパー１６と駆動駒２０とは相互に機械的に連結されない分離部品で構成されているため、スライドダンパー１６から駆動駒２０、ハンドル軸１９及び操作ハンドル１８への熱の伝導が少なく、その結果、操作ハンドル１８の加熱を抑えることができる。
【００３２】
駆動駒２０は、本体カバー２１側に装着された操作ハンドル１８に、ハンドル軸１９を介して固定されているため、本体カバー２１と一緒に組み立てることができる。蓄熱体４は重いため、通常、蓄熱暖房器は、据え付け現場における現場施工となる。その際、駆動駒２０の動きをスライドダンパー１６に伝えるように構成する必要があるが、駆動駒２０とスライドダンパー１６とが一体的に構成されていたり、予め機械的に連結されていたりすると、現場での組立が大変困難となる。そこで、駆動駒２０がスライドダンパー１６の係合凹部１６ａに単に係合するだけの構成とすることにより、スライドダンパー１６から操作ハンドル１８へ熱が伝わりにくくなり、蓄熱暖房器の据え付け現場における現場施工の際に、内部ケーシング１１内に蓄熱体４を組み込んだ後、本体カバー２１を被せると同時に本体カバー２１側の駆動駒２０をスライドダンパー１６の係合凹部１６ａに係合させることができる。
【産業上の利用可能性】
【００３３】
本考案は、実用新案登録請求の範囲に記載した事項の範囲内で種々の実施の形態に従って実施をすることができ、蓄熱暖房器として産業上の利用可能性がきわめて大きい。
【図面の簡単な説明】
【００３４】
【図１】本考案の蓄熱暖房器の、図２のＢ−Ｂ線に沿って見た縦断正面図である。
【図２】図１の蓄熱暖房器のＣ−Ｃ線に沿って見た縦断側面図である。
【図３】図１の蓄熱暖房器のＡ−Ａ線に沿って見た水平断面図である。
【符号の説明】
【００３５】
１    基台
２    スペーサ
３    下部断熱材
４     蓄熱体
５     前側部断熱材
６     後側部断熱材
７     右側部断熱材
８     左側部断熱材
９     ヒータ
１０    上部断熱材
１１    内部ケーシング
１２    外装板
１３    帯状の伝熱板
１４    風路
１５    吹き出し口
１６    スライドダンパー
１６ａ    係合凹部
１７    開口
１８    操作ハンドル
１９    ハンドル軸
２０    スライドダンパー駆動駒
２１    本体カバー
【図１】
0003101345.tif 000003
【図２】
0003101345.tif 000004
【図３】
0003101345.tif 000005